(57)【要約】【課題】本発明の目的は、含有する香料成分に対するアルコール系香料の比率が高い香料液を用いて、棒状に加工したポリマー繊維からなる揮散部材を使用して揮散させる際に、当該香料液の揮散速度の低下を抑制する揮散器を提供することである。【解決手段】開口部を有する容器と、前記容器に収容された香料液と、前記香料液を吸液して揮散させる棒状に加工したポリマー繊維とを備え、前記棒状に加工したポリマー繊維が、前記容器の開口部から挿入され、少なくとも一部が前記開口部から容器外に露出するように設置されている揮散器であって、揮散器であって、前記香料液に含まれる香料成分の総量１００重量部当たり、アルコール系香料が１５重量部以上であり、前記香料液におけるテルペン系のアルコール系香料の含有量が総量で７．５重量％未満であり、前記香料液における脂肪族系のアルコール系香料の含有量が総量で５重量％未満であり、且つ前記香料液における芳香族系のアルコール系香料の含有量が総量で２．５重量％未満である、揮散器。【選択図】なし【特許請求の範囲】
【請求項１】
開口部を有する容器と、
前記容器に収容された香料液と、
前記香料液を吸液して揮散させる棒状に加工したポリマー繊維とを備え、
前記棒状に加工したポリマー繊維が、前記容器の開口部から挿入され、少なくとも一部が前記開口部から容器外に露出するように設置されている揮散器であって、
前記香料液に含まれる香料成分の総量１００重量部当たり、アルコール系香料が１５重量部以上であり、
前記香料液におけるテルペン系のアルコール系香料の含有量が総量で７．５％未満であり、
前記香料液における脂肪族系のアルコール系香料の含有量が総量で５％未満であり、且つ
前記香料液における芳香族系のアルコール系香料の含有量が総量で２．５％未満である、
揮散器。
【請求項２】
前記棒状に加工したポリマー繊維が円柱状である、請求項１に記載の揮散器。
【請求項３】
前記棒状に加工したポリマー繊維を長さ方向に対して垂直に切断した断面の直径が５ｍｍ以下である、請求項２に記載の揮散器。
【請求項４】
前記棒状に加工したポリマー繊維の長さが１１０〜１９０ｍｍである、請求項１〜３のいずれかに記載の揮散器。
【請求項５】
前記棒状に加工したポリマー繊維が、ポリエステル及びポリウレタンを含む、請求項１〜４のいずれかに記載の揮散器。
【請求項６】
前記香料液が、パラフィン系炭化水素を含む、請求項１〜５のいずれかに記載の揮散器。
【請求項７】
棒状に加工したポリマー繊維を揮散部材として使用して揮散される香料液であって、
前記香料液に含まれる香料成分の総量１００重量部当たり、アルコール系香料が１５重量部以上であり、
前記香料液におけるテルペン系のアルコール系香料の含有量が総量で７．５％未満であり、
前記香料液における脂肪族系のアルコール系香料の含有量が総量で５％未満であり、且つ
前記香料液における芳香族系のアルコール系香料の含有量が総量で２．５％未満である、
香料液。
【発明の詳細な説明】
【技術分野】
【０００１】
本発明は、棒状に加工したポリマー繊維からなる揮散部材を使用して香料液を揮散させる揮散器であって、香料液の揮散速度の低下を抑制できる揮散器に関する。また、本発明は、当該揮散器に使用される香料液に関する。
【背景技術】
【０００２】
従来、香料液を揮散させる揮散器は外観の美しさやインテリア性がさほど求められる商品ではなかったが、建築技術の進歩や建築基準法による換気率規定等により、居室空間内の臭気強度が低減したことから、悪臭への対処の必要性が低減し、代わりに居室空間を彩るためのインテリア性が重視されるようになってきた。
【０００３】
インテリア性を高めた揮散器として、例えば、特許文献１に示されるような、籐（ラタン）の木片を使用した意匠効果に優れた揮散部材を用いた揮散器が多く商品化されている。その中でも、揮散部材として棒状に加工した籐（ラタン）等の天然素材を使用した揮散器は、インテリア性が高く、消費者に好まれる傾向があるため、近年精力的に開発が進められている。例えば、特許文献２及び３には、開口部を有する容器に、揮散部材として複数の棒状の籐と揮散液とを収容してなる揮散器が開示されている。
【０００４】
一方、籐等の天然素材からなる揮散部材として使用した揮散器は、優れたインテリア性の付与という利点がある反面、揮散部材が天然素材であるが故に、資材のバラツキが大きい、量産が不可能であるため将来的に安定供給ができなくなる懸念がある、等といった欠点がある。
【０００５】
そこで、近年、天然素材からなる揮散部材の欠点を克服すべく、量産可能であり、インテリア性にも優れている揮散部材として棒状に加工したポリマー繊維の使用が提案されている。しかしながら、棒状に加工したポリマー繊維からなる揮散部材を使用した揮散器を使用した場合の香料液の揮散特性については、十分な検討がなされていないのが現状である。
【先行技術文献】
【特許文献】
【０００６】
【特許文献１】特開平１０−２４０９６号公報
【特許文献２】特開２０１５−８７９９号公報
【特許文献３】特開２０１６−１２４６０３号公報
【発明の概要】
【発明が解決しようとする課題】
【０００７】
本発明者は、棒状に加工したポリマー繊維からなる揮散部材を使用した揮散器を使用した場合の香料液の揮散特性について検討を行ったところ、一般的に使用される香料液では、籐からなる揮散部材を使用した場合に比べて揮散速度が遅くなる場合があるという新たな課題に直面した。従来、籐からなる揮散部材によって香料液を揮散させた際に感じられる香気の質や強さは、良好なものとして消費者に広く受け入れられており、棒状に加工したポリマー繊維からなる揮散部材を使用した際に認められる香料液の揮散速度の低下は、揮散させる香気の質や強さに悪影響を及ぼすことになる。
【０００８】
本発明者は、前記課題を解決すべく鋭意検討を行ったところ、香料液に使用されている香料成分の中でアルコール系香料（テルペン系のアルコール系香料、脂肪族系のアルコール系香料、及び芳香族系のアルコール系香料）が、棒状に加工したポリマー繊維からなる揮散部材を使用した揮散器における香料液の揮散速度の低下要因になっていることを突き止めた。通常、香料液には、所望の香気を付与するために複数の香料成分が配合されており、アルコール系香料は、香気の質や強さを調整する上で、香料液に含まれる香料成分の総量に対して比較的高い比率で含有させることが多い。そのため、香料液において、含有する香料成分に対するアルコール系香料の比率が高い場合に、棒状に加工したポリマー繊維からなる揮散部材による揮散速度の低下を抑制することが重要になる。
【０００９】
そこで、本発明は、含有する香料成分に対するアルコール系香料の比率が高い香料液を用いて、棒状に加工したポリマー繊維からなる揮散部材を使用して揮散させる際に、当該香料液の揮散速度の低下を抑制する揮散器を提供することを目的とする。
【課題を解決するための手段】
【００１０】
本発明者は、前記課題を解決すべく鋭意検討を行ったところ、香料成分の総量１００重量部当たりアルコール系香料を１５重量部以上含む香料液において、香料液におけるテルペン系のアルコール系香料、脂肪族系のアルコール系香料、及び芳香族系のアルコール系香料の含有量を所定値未満に設定することにより、棒状に加工したポリマー繊維からなる揮散部材を使用する際のアルコール系香料の悪影響を抑制し、香料液の揮散速度の低下を抑制し得ることを見出した。本発明は、これらの知見に基づいて更に検討を重ねることにより完成したものである。
【００１１】
即ち、本発明は、下記に掲げる態様の発明を提供する。
項１．  開口部を有する容器と、
前記容器に収容された香料液と、
前記香料液を吸液して揮散させる棒状に加工したポリマー繊維とを備え、
前記棒状に加工したポリマー繊維が、前記容器の開口部から挿入され、少なくとも一部が前記開口部から容器外に露出するように設置されている揮散器であって、
前記香料液に含まれる香料成分の総量１００重量部当たり、アルコール系香料が１５重量部以上であり、
前記香料液におけるテルペン系のアルコール系香料の含有量が総量で７．５％未満であり、
前記香料液における脂肪族系のアルコール系香料の含有量が総量で５％未満であり、且つ
前記香料液における芳香族系のアルコール系香料の含有量が総量で２．５％未満である、
揮散器。
項２．  前記棒状に加工したポリマー繊維が円柱状である、項１に記載の揮散器。
項３．  前記棒状に加工したポリマー繊維を長さ方向に対して垂直に切断した断面の直径が５ｍｍ以下である、項２に記載の揮散器。
項４．  前記棒状に加工したポリマー繊維の長さが１１０〜１９０ｍｍである、項１〜３のいずれかに記載の揮散器。
項５．  前記棒状に加工したポリマー繊維が、ポリエステル及びポリウレタンを含む、項１〜４のいずれかに記載の揮散器。
項６．  前記香料液が、パラフィン系炭化水素を含む、項１〜５のいずれかに記載の揮散器。
項７．  棒状に加工したポリマー繊維を揮散部材として使用して揮散される香料液であって、
前記香料液に含まれる香料成分の総量１００重量部当たり、アルコール系香料が１５重量部以上であり、
前記香料液におけるテルペン系のアルコール系香料の含有量が総量で７．５％未満であり、
前記香料液における脂肪族系のアルコール系香料の含有量が総量で５％未満であり、且つ
前記香料液における芳香族系のアルコール系香料の含有量が総量で２．５％未満である、
香料液。
【発明の効果】
【００１２】
本発明によれば、香料成分の総量に対するアルコール系香料含有率が高い香料液（香料成分の総量１００重量部当たり、アルコール系香料が１５重量部以上を占める香料液）であっても、棒状に加工したポリマー繊維を揮散部材として使用した場合に、香料液の揮散速度の低下を抑制できるので、優れたインテリア性を備えつつ、香料液の揮散性に優れた揮散器を提供することができる。
【図面の簡単な説明】
【００１３】
【図１】本発明の揮散器の一例の概略断面図である。
【図２】参考試験例１において、揮散部材として棒状に加工したポリマー繊維及び棒状に加工した籐を使用し、揮散液の揮散速度を評価した結果である。
【図３】試験例１において、テルペン系のアルコール系香料を含む香料液の揮散速度を評価した結果である。
【図４】試験例１において、脂肪族系のアルコール系香料を含む香料液の揮散速度を評価した結果である。
【図５】試験例１において、芳香族系のアルコール系香料を含む香料液の揮散速度を評価した結果である。
【図６】試験例１において、アルデヒド系香料を含む香料液の揮散速度を評価した結果である。
【図７】試験例１において、エステル系香料を含む香料液の揮散速度を評価した結果である。
【図８】試験例１において、ケトン系香料を含む香料液の揮散速度を評価した結果である。
【図９】試験例１において、エーテル系香料を含む香料液の揮散速度を評価した結果である。
【発明を実施するための形態】
【００１４】
１．揮散器
本発明の揮散器は、開口部を有する容器と、前記容器に収容された香料液と、前記香料液を吸液して揮散させる棒状に加工したポリマー繊維とを備え、前記棒状に加工したポリマー繊維が、前記容器の開口部から挿入され、少なくとも一部が前記開口部から容器外に露出するように設置されている揮散器であって、前記香料液に含まれる香料成分の総量１００重量部当たり、アルコール系香料が１５重量部以上であり、前記香料液におけるテルペン系のアルコール系香料の含有量が総量で７．５％未満であり、前記香料液における脂肪族系のアルコール系香料の含有量が総量で５％未満であり、且つ前記香料液における芳香族系のアルコール系香料の含有量が総量で２．５％未満であることを特徴とする。以下、本発明の揮散器について詳述する。
【００１５】
［香料液］
本発明において、「香料液」とは、香料成分を含み、常温、大気圧下で揮散する溶液である。
【００１６】
本発明で使用される香料液は、香料成分を含み、且つ香料液に含まれる香料成分の総量１００重量部当たり、アルコール系香料が１５重量部以上であり、前記香料液におけるテルペン系のアルコール系香料の含有量が総量で７．５％未満であり、前記香料液における脂肪族系のアルコール系香料の含有量が総量で５％未満であり、前記香料液における芳香族系のアルコール系香料の含有量が総量で２．５％未満である。このように香料液に含まれる香料成分の総量に対するアルコール系香料の比率が高くても、アルコール系香料の構造毎の含有量を所定値未満に制御することによって、揮散部材として棒状に加工したポリマー繊維を使用した場合に、香料液の揮散速度の低下を抑制することが可能になる。
【００１７】
本発明において、「アルコール系香料」とは、アルコール性水酸基を有し、大気圧下で揮散して香気を呈する香料成分であり、テルペン骨格を有するテルペン系のアルコール系香料、脂肪族骨格を有する脂肪族系のアルコール系香料、及び芳香環を有する芳香族系のアルコール系香料に分類される。
【００１８】
テルペン系のアルコール系香料としては、具体的には、リナロール、エチルリナロール、ゲラニオール、ネロール、シトロネロール、ミルセノール、ラバンジュロール、テオラヒドロゲラニオール、ジヒドロリナロール、テトラヒドロリナロール、ヒドロキシシトロネロール、ジヒドロミルセノール、ターピネオール、α−ターピネオール、ターピネン−４−オール、メントール、テルピネオール、ボルネオール、アロオキシメノール、イソプレゴール、ノポール、ファルネソール、フェンチルアルコール、ネロリドール、セドロール、パチュリアルコール、ベチベロール、アンブリノール、サンタロール、イソボルニルシクロヘキサノール等が挙げられる。
【００１９】
脂肪族系のアルコール系香料としては、具体的には、シス−３−ヘキセノール、トランス−２−ヘキセノール、シス−３−ヘキセノール、３−オクタノール、１−オクテン−３−オール、２、６−ジメチル−２−ヘプタノール、９−デセノール、４−メチル−３−デセン−５−オール、１０−ウンデセノール、トランス−２−シス−６−ノナジエタノール、２，６−ジメチルヘプタン−２−オール、２，４−ジメチル−３−シクロヘキセン−１−メタノール、４−イソプロピルシクロヘキサノール、４−イソプロピルシクロヘキサンメタノール、１−（４−イソプロピルシクロヘキシル）−エタノール、ｐ−ｔ−ブチルシクロヘキサノール、ｏ−ｔ−ブチルシクロヘキサノール、１−（２−ｔ−ブチルシクロヘキシルオキシ）−２−ブタノール、ペンタメチルシクロヘキシルプロパノール、１−（２，２，６−トリメチルシクロヘキシル）−３−ヘキサノール、２−メチル−４−（２，２，３−トリメチル−３−シクロペンテン−１−イル）−２−ブテン−１−オール、エバノール、ポリサントール、３，７−ジメチル−７−メトキシオクタン−２−オール、サンダロア、バグダノール等が挙げられる。
【００２０】
芳香族系のアルコール系香料としては、具体的には、フェニルエチルアルコール、フェネシルアルコール、３−フェニルプロパノール、２，２−ジメチル−３−（３−メチルフェニル）−プロパノール、ベンジルアルコール、フェニルエチルアルコール、フェノキシエチルアルコール、フェニルプロピルアルコール、スチラリルアルコール、アニスアルコール、シンナミックアルコール、フェニルプロピルアルコール、ジメチルベンジルカルビノール、ジメチルフェニルエチルカルビノール、フェニルエチルメチルエチルカルビノール、３−メチル−５−フェニルペンタノール、チモール、カルバクロール、オルシノールモノメチルエーテル、オイゲノール、イソオイゲノール、プロペニルグアエトール等が挙げられる。
【００２１】
これらのアルコール系香料は、１種単独で使用してもよく、また２種以上を組み合わせて使用してもよい。
【００２２】
本発明で使用される香料液に含まれる香料成分の総量１００重量部当たり、アルコール系香料の総量が１５重量部以上であればよいが、好ましくは１５〜５０重量部、更に好ましくは２０〜４０重量部、特に好ましくは２０〜３０重量部が挙げられる。このように香料液に含まれる香料成分の総量に対してアルコール系香料が多く含まれていることにより、良好な香気に調香することが可能になる。
【００２３】
また、本発明の揮散器において、香料液の揮散速度の低下を抑制するために、香料液におけるテルペン系のアルコール系香料の総量の含有量を７．５重量％未満、脂肪族系のアルコール系香料の総量の含有量を５重量％未満、且つ芳香族系のアルコール系香料の総量の含有量を２．５重量％未満にすることが重要になる。このように、香料液における構造毎のアルコール系香料を所定値に設定することによって、香料成分の総量１００重量部当たり、アルコール系香料の総量が１５重量部以上を占める香料液であっても、棒状に加工したポリマー繊維を用いて揮散させる際に香料液の揮散速度の低下を抑制することが可能になる。
【００２４】
本発明で使用される香料液におけるテルペン系のアルコール系香料の含有量については、香料成分の総量１００重量部当たり、アルコール系香料の総量が１５重量部以上を充足し、且つテルペン系のアルコール系香料の総量の含有量を７．５重量％未満であることを限度として特に制限されず、香料液にテルペン系のアルコール系香料が含まれていなくてもよいが、テルペン系のアルコール系香料を含有させる場合であれば、香料液におけるテルペン系のアルコール系香料の含有量として、０．０１重量％以上７．５重量％未満、好ましくは０．５〜５重量％、更に好ましくは１〜２．５重量％が挙げられる。
【００２５】
本発明で使用される香料液における脂肪族系のアルコール系香料の含有量については、香料成分の総量１００重量部当たり、アルコール系香料の総量が１５重量部以上を充足し、且つ脂肪族系のアルコール系香料の総量の含有量を５重量％未満であることを限度として特に制限されず、香料液に脂肪族系のアルコール系香料が含まれていなくてもよいが、脂肪族系のアルコール系香料を含有させる場合であれば、香料液における脂肪族系のアルコール系香料の含有量として、０．０１重量％以上５重量％未満、好ましくは０．５〜４重量％、更に好ましくは１〜２重量％が挙げられる。
【００２６】
本発明で使用される香料液における芳香族系のアルコール系香料の含有量については、香料成分の総量１００重量部当たり、アルコール系香料の総量が１５重量部以上を充足し、且つ芳香族系のアルコール系香料の総量の含有量を２．５重量％未満であることを限度として特に制限されず、香料液に芳香族系のアルコール系香料が含まれていなくてもよいが、芳香族系のアルコール系香料を含有させる場合であれば、香料液における芳香族系のアルコール系香料の含有量として、０．０１重量％以上２．５重量％未満、好ましくは０．３〜２重量％、更に好ましくは０．５〜１重量％が挙げられる。
【００２７】
本発明で使用される香料液において、アルコール系香料の総量の含有量（即ち、テルペン系のアルコール系香料、脂肪族系のアルコール系香料、及び芳香族系のアルコール系香料の総量の含有量）については、前述する構造毎のアルコール系香料の含有量を重層する範囲で適宜設定すればよいが、例えば、０．５〜１０重量％、好ましくは１〜７．５重量％、更に好ましくは１．５〜５重量％が挙げられる。
【００２８】
本発明で使用される香料液は、香料成分として、前述する含有量を満たす範囲でアルコール系香料が単独で含まれていてもよいが、アルコール系香料以外の香料成分を含み、所望の香気に調香されていることが望ましい。アルコール系香料以外の香料成分としては、アルデヒド系香料（アルコール性水酸基を有さず、アルデヒド基を有する香料）、エステル系香料（アルコール性水酸基を有さず、ラクトン構造を有さず、エステル結合を有する香料）、ケトン系香料（アルコール性水酸基を有さず、ケトン基を有する香料）、エーテル系香料（アルコール性水酸基を有さず、アセタール構造を有さず、エーテル結合を有する香料）、炭化水素系香料（アルコール性水酸基を有さず、炭化水素からなる香料）、アセタール系香料（アルコール性水酸基を有さず、アセタール構造を有する香料）、カルボン酸系香料（アルコール性水酸基を有さず、カルボキシル基を有する香料）、ラクトン系香料（アルコール性水酸基を有さず、ラクトン構造を有する香料）、ムスク系香料（アルコール性水酸基を有さず、大環状ムスク、ニトロムスク、多環状ムスク等を有し、ムスク香を呈する香料）、窒素含有香料（アルコール性水酸基を有さず、窒素原子を含む香料）、ニトリル系香料（アルコール性水酸基を有さず、ニトリル基を有する香料）、硫黄含有香料（アルコール性水酸基を有さず、硫黄原子を含む香料）等が挙げられる。
【００２９】
アルデヒド系香料としては、具体的には、ヘキサナール、シトラール、ヘキシルシンナミックアルデヒド、ヘキシルアルデヒド、オクチルアルデヒド、ノニルアルデヒド、デシルアルデヒド、ウンデシルアルデヒド、ドデシルアルデヒド、トリデシルアルデヒド、トリメチルヘキシルアルデヒド、メチルオクチルアセチルアルデヒド、メチルノニルアセトアルデヒド、トランス−２−ヘキセナール、シス−４−ヘプテナール、２，６−ノナジエナール、シス−４−デセナール、トランス−４−デセナール、ウンデシレンアルデヒド、トランス−２−ドデセナール、トリメチルウンデセナール、２，６，１０−トリメチル−５，９−ウンデカジエナール、シトロネラール、ヒドロキシシトロネラール、ペリラルデヒド、メトキシジヒドロシトロネラール、シトロネリルオキシアセトアルデヒド、２，４−ジメチル−３−シクロヘキセニルカルボキシアルデヒド、イソシクロシトラール、センテナール、マイラックアルデヒド、リラール、ベルンアルデヒド、デュピカール、マセアール、ボロナール、セトナール、ベンズアルデヒド、フェニルアセトアルデヒド、フェニルプロピルアルデヒド、シンナミックアルデヒド、α−アミルシンナミックアルデヒド、α−ヘキシルシンナミックアルデヒド、ヒドロトロピックアルデヒド、アニスアルデヒド、ｐ−メチルフェニルアセトアルデヒド、クミンアルデヒド、シクラメンアルデヒド、３−（ｐ−ｔ−ブチルフェニル）−プロピルアルデヒド、ｐ−エチル−２，２−ジメチルヒドロシンナムアルデヒド、２−メチル−３−（ｐ−メトキシフェニル）−プロピルアルデヒド、ｐ−ｔ−ブチル−α−メチルヒドロシンナミックアルデヒド、サリチルアルデヒド、ヘリオトロピン、ヘリオナール、バニリン、エチルバニリン、メチルバニリン等が挙げられる。
【００３０】
エステル系香料としては、具体的には、エチルブチレート、スチラリルアセテート、ｏ−ｔ−ブチルシクロへキシルアセテート、蟻酸エチル、蟻酸シス−３−ヘキセニル、蟻酸リナリル、蟻酸シトロネリル、蟻酸ゲラニル、蟻酸ベンジル、蟻酸フェニルエチル、蟻酸１−（３，３−ジメチルシクロヘキシル）エチル、酢酸エチル、酢酸ブチル、酢酸イソアミル、シクロペンチリデン酢酸メチル、酢酸ヘキシル、酢酸シス−３−ヘキセニル、酢酸トランス−３−ヘキセニル、酢酸イソノニル、酢酸シトロネリル、酢酸ラバンジュリル、酢酸ゲラニル、酢酸リナリル、酢酸ミルセニル、酢酸ターピニル、酢酸メンチル、酢酸メンタニル、酢酸ノピル、酢酸ｎ−ボルニル、酢酸イソボルニル、酢酸ｐ−ｔ−ブチルシクロヘキシル、酢酸ｏ−ｔ−ブチルシクロヘキシル、酢酸トリシクロデセニル、酢酸２，４−ジメチル−３−シクロヘキセン−１−メタニル、酢酸ベンジル、酢酸フェニルエチル、酢酸スチラリル、酢酸シンナミル、酢酸アニシル、酢酸パラクレジル、酢酸ヘリオトロピル、アセチルオイゲノール、アセチルイソオイゲノール、酢酸グアイル、酢酸セドリル、酢酸ベチベリル、酢酸デカヒドロβナフチル、プロピオン酸エチル、プロピオン酸イソアミル、プロピオン酸シロネリル、プロピオン酸シロネリル、プロピオン酸ゲラニル、プロピオン酸リナリル、プロピオン酸ターピニル、プロピオン酸ベンジル、プロピオン酸シンアミル、シクロヘキシルプロピオン酸アリル、プロピオン酸トリシクロデセニル、酪酸エチル、２−メチル酪酸エチル、酪酸ブチル、酪酸イソアミル、酪酸ヘキシル、酪酸リナリル、酪酸ゲラニル、酪酸シトロネリル、酪酸ベンジル、イソ酪酸シス−３−ヘキセニル、イソ酪酸シトロネリル、イソ酪酸ゲラニル、イソ酪酸リナリル、イソ酪酸ベンジル、イソ酪酸フェニルエチル、イソ酪酸フェノキシエチル、イソ酪酸トリシクロデセニル、吉草酸エチル、吉草酸プロピル、イソ吉草酸シトロネリル、イソ吉草酸ゲラニル、イソ吉草酸シンアミル、イソ吉草酸ベンジル、イソ吉草酸フェニルエチル、カプロン酸エチル、カプロン酸アリル、エナント酸エチル、エナント酸アリル、カプリン酸エチル、チグリン酸シトロネリル、オクチンカルンボン酸メチル、２−ペンチロキシグリコール酸アリル、シス−３−ヘキセニルメチルカーボネート、ケト酸エチル、ピルビン酸イソアミル、アセト酸エチル、レブリン酸エチル、安息香酸メチル、安息香酸エチル、安息香酸イソブチル、安息香酸イソアミル、安息香酸ゲラニル、安息香酸リナリル、安息香酸ベンジル、安息香酸フェニルエチル、安息香酸フェニルエチル、ジヒドロキシメチル安息香酸メチル、フェニル酢酸メチル、フェニル酢酸メチル、フェニル酢酸エチル、フェニル酢酸イソブチル、フェニル酢酸イソアミル、フェニル酢酸ゲラニル、フェニル酢酸ベンジル、フェニル酢酸フェニルエチル、フェニル酢酸ｐ−クレジル、桂皮酸メチル、桂皮酸エチル、桂皮酸ベンジル、桂皮酸シンアミル、桂皮酸フェニルエチル、サリチル酸メチル、サリチル酸エチル、サリチル酸イソブチル、サリチル酸イソアミル、サリチル酸ヘキシル、サリチル酸シス−３−ヘキセニル、サリチル酸ベンジル、サリチル酸フェニルエチル、アニス酸メチル、アニス酸エチル、���ンスラニル酸メチル、アンスラニル酸エチル、メチルアンスラニル酸メチル、ジャスモン酸メチル、ジヒドロジャスモン酸メチル、メチルフェミルグリシド酸エチル、フェニルグリシド酸エチル、グリコメル、フラクトン、フレイストン、フルテート、ジベスコン、エチル２−メチル−６−ペンチル−４−オキサ−２−シクロヘキセンカーボネート等が挙げられる。
【００３１】
ケトン系香料としては、具体的には、２−オクタノン、δ−ダマスコン、アセトイン、ジアセチル、ミチルアミルケトン、エチルアミルケトン、メチルヘキシルケトン、メチルノニルケトン、メチルヘプテノン、コアボン、カンファー、カルボン、メントン、ｄ−プレゴン、ピペリトン、フェンチョン、ゲラニルアセトン、セドリルメチルケトン、ヌートカトン、イオノン、α−イオノン、β−イオノン、メチルイオノン、α−ｎ−メチルイオノン、β−ｎ−メチルイオノン、α−イソイオノン、β−イソイオノン、アリルイオノン、イロン、α−イロン、β−イロン、γ−イロン、ダマスコン、α−ダマスコン、β−ダマスコン、δ−ダマスコン、ダマセノン、ダイナスコン、α−ダイナスコン、β−ダイナスコン、マルトール、エチルマルトール、２，５−ジメチル−４−ヒドロキシフランノン、シュガーラクトン、ｐ−ｔ−ブチルシクロヘキサノン、アミルシクロペンタノン、ヘプチルシクロペンタノン、ジヒドロジャスモン、シスージャスモン、フロレックス、プリカトン、４−シクロヘキシル−４−メチル−２−ペンタノン、ｐ−メンテン−６−イルプロパノン、２，２，５−トリメチル−５−ペンチルシクロペンタノン、エトキシビニルテトラシクロヘキサノン、ジヒドロペンタメチルインダノン、イソ・イー・スーパー（１，２，３，４，５，６，７，８−オクタヒドロ−２，３，８，８−テトラメチル−２−アセトナフタレノン）、トリモフィックス、アセトフェノン、ｐ−メチルアセトフェノン、ベンジルアセトン、カローン、ラズベリーケトン、アニシルアセトン、４−（４−ヒドロキシ−３−メトキシフェニル）−２−ブタノン、メチルナフチルケトン、４−フェニル−４−メチル−２−ペンタノン、ベンゾフェノン等が挙げられる。
【００３２】
エーテル系香料としては、具体的には、ジフェニルオキシド、ｐ−クレジルエチルエーテル、ｄｌ−ローズオキシド、ネロールオキサイド、ミロキサイド、１，８−シネオール、ローズオキサイド、リメトール、メントフラン、リナロールオキサイド、ブチルジメチルジヒドロキシピラン、アセトキシアミルテトラヒドロピラン、セドリルメチルエーテル、メトキシシクロドデカン、１−メチル−１−メトキシシクロドデカン、エトキシメチルシクロドデシルエーテル、トリクロデセニルメチルエーテル、ルボフィックス、セドロキサイド、アンブロキサン、グリサルバ、ボワジリス、アニソール、ジメチルハイドロキノン、パラクレジルメチルエーテル、アセトアニソール、アネトール、ジヒドロアネトール、エストラゴール、ジフェニルオキサイド、メチルオイゲノール、フェニルエチルメチルエーテル、フェニルエチルイソアミルエーテル、β−ナフチルメチルエーテル、β−ナフチルイソブチルエーテル等が挙げられる。
【００３３】
炭化水素系香料としては、具体的には、リモネン、カリオフィレン、ピネン、ミルセン、ターピノレン、オシメン、ターピネン、フェランドレン、ｐ−サイメン、カリオフィレン、ファルネセン、１，３，５−ウンデカトリエン、ジフェニルメタン等が挙げられる。
【００３４】
アセタール系香料としては、具体的には、オクチルアルデヒドグリコールアセタール、アセトアルデヒドエチルシス−３−ヘキセニルアセタール、シトラールジメチルアセタール、シトラールジエチルアセタール、アセトアルデヒドエチルリナリルアセタール、アセトアルデヒドエチルリナリルアセタール、ヒドロキシシトロネラールジメチルアセタール、フェニルアセトアルデヒドジメチルアセタール、ヒドラトロピックアルデヒドジメチルアセタール、フェニルアセトアルデヒドヒドグリセリルアセタール、アセトアルデヒドエチルフェニルアセタール、アセトアルデヒドフェニルエチルプロピルアセタール、フェニルプロピルアルデヒドプロピレングリコールアセタール、４，４，６−トリメチル−２−ベンジル−１，３−ジオキサン、２，４，６−トリメチル−２−フェニル−１，３−ジオキサン、２−ブチル−４，４，６−トリメチル−１，３−ジオキサン、テトラヒドロインデノ−ｍ−ジオキシン、ジメチルテトラヒドロインデノ−ｍ−ジオキシン、カラナール等が挙げられる。
【００３５】
カルボン酸系香料としては、具体的には、ゲラニル酸、シトロネリル酸、安息香酸、フェニル酢酸、フェニルプロピオン酸、桂皮酸、２−メチル−２−ペンテノ酸等が挙げられる。
【００３６】
ラクトン系香料としては、具体的には、γ−オクタラクトン、γーノナラクトン、γ−デカラクトン、γ−ウンデカラクトン、δ−デカラクトン、クマリン、ジヒドロクマリン、ジャスモラクトン、ジャスミンラクトン等が挙げられる。
ムスク系香料としては、具体的には、ムスコン、シベトン、シクロペンタデカノン、シクロヘキサデセノン、シクロペンタデカノリド、１２−ケトシクロペンタデカノリド、シクロヘキサデカノリド、シクロヘキサデセノリド、１２−オキサ−１６−ヘキサデカノリド、１１−ヘキサ−１６−ヘキサデカノリド、１０−オキサ−１６−ヘキサデカノリド、エチレンブラシレート、エチレンドデカンジオエート、ムスクケトン、ムスクキシロール、ムスクアンブレット、ムスクチベテン、ムスクモスケン、６−アセチルヘキサメチルインダン、４−アセチルジメチル−ｔ−ブチルインダン、５−アセチルテトラメチルイソプロプルインダン、６−アセチルヘキサテトラリン、ヘキサメチルヘキサヒドロシクロペンタンベンゾピラン等が挙げられる。
【００３７】
窒素含有香料としては、具体的には、アセチルピロール、インドール、スカトール、インドレン、２−アセチルピリジン、マリティマ、６−メチルキノリン、６−イソプロピルキノリン、イソブチルキノリン、２−アセチルピラジン、２，３−ジメチルピラジン、２−イソプロピル−３−メトキシピラジン、２−イソブチル−３−メトキシピラジン、２−セカンダリーブチル−３−メトキシピラジン、トリメチルピラジン、５−メチル−３−ヘプタンオキシム等が挙げられる。
【００３８】
ニトリル系香料としては、具体的には、ゲラニルニトリル、シトロネリルニトリル、５−フェニル−２，６−ノナジエンニトリル、シナモンニトリル、クミンニトリル、ドデカンニトリル、トリデセン−２−ニトリル等が挙げられる。
【００３９】
硫黄含有香料としては、具体的には、ジメチルスルフィド、２−メチル−４−プロピル−１，３−オキサチアン、イソオシアン酸アリル、ｐ−メンタン−８−チオール−３−オン、ｐ−メンテン−８−チオール、ｐ−メンチルチオプロピオン酸メチル等が挙げられる。
【００４０】
これらの香料成分（アルコール系香料以外）は、１種単独で使用してもよく、２種以上を組み合わせて使用してもよい。これらの香料成分（アルコール系香料以外）の中でも、より一層効果的に香料液の揮散速度の低下を抑制するという観点から、好ましくはアルデヒド系香料、エステル系香料、ケトン系香料、エーテル系香料、ラクトン系香料、窒素含有香料、更に好ましくはアルデヒド系香料、エステル系香料、ケトン系香料、エーテル系香料が挙げられる。
【００４１】
また、本発明で使用される香料液における香料成分の総含有量については、特に制限されず、使用する香料成分の種類、付与すべき香気の質や強さ等に応じて適宜設定すればよいが、例えば、本発明で使用される香料液において、香料成分の総量が２．５〜４０重量％、好ましくは５〜３０重量％、更に好ましくは７．５〜２０重量％が挙げられる。
【００４２】
本発明で使用される香料液には、前述する香料成分以外に、当該香料成分を溶解又は分散させるための有機溶剤が含まれる。
【００４３】
本発明で使用される香料液に含まれる有機溶剤の種類については、香料成分を溶解又は分散するための媒体となり得ることを限度として特に制限されないが、例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール等の１価アルコール；エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等の多価アルコール；エチレングリコールモノメチルエーテル、エチレングリコールモノエチルエーテル、エチレングリコールモノブチルエーテル、ジエチレングリコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールモノメチルエーテルアセテートトリエチレングリコールモノエチルエーテル、エチレングリコールモノフェニルエーテル等のグリコールエーテル；エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン等のアミン；ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン等が挙げられる。また、イソパラフィン、ノルマルパラフィン等のパラフィン系炭化水素を使用することもできる。パラフィン系炭化水素として、好ましくは沸点が１００〜３００℃、好ましくは１５０〜２５０℃のものが挙げられる。
【００４４】
これらの有機溶剤の中でも、好ましくは１価アルコール、多価アルコール、パラフィン系炭化水素、グリコールエーテル、更に好ましくはパラフィン系炭化水素、特に好ましくはイソパラフィンが挙げられる。
【００４５】
これらの有機溶剤は１種単独で使用してもよく、また２種以上を組み合わせて使用してもよい。
【００４６】
本発明で使用される香料液において、有機溶剤の含有量については、特に限定されないが、例えば６０〜９７．５重量％、好ましくは７０〜９５重量％、更に好ましくは８０〜９２．５重量％が挙げられる。
【００４７】
また、本発明で使用される香料液では、有機溶剤としてパラフィン系炭化水素を使用する場合には、香料の溶解補助剤として３−メトキシ−３−１−ブタノールが含まれていてもよい。本発明で使用される香料液に３−メトキシ−３−１−ブタノールを含有させる場合、その含有量については特に制限されないが、例えば、０．５〜２０重量％、好ましくは１〜１５重量％、更に好ましくは２〜１０重量％が挙げられる。
【００４８】
本発明で使用される香料液には、前述した成分以外に、本発明の効果を妨げないことを限度として、他の添加剤を含有してもよい。このような他の添加剤としては、例えば、害虫忌避剤、消臭剤、殺虫剤、抗菌剤、酸化防止剤、紫外線吸収剤、溶解剤、防腐剤、増粘剤、ｐＨ調製剤、消臭剤、キレート剤等が挙げられる。
【００４９】
害虫忌避剤成分としては、飛翔昆虫（蚊、ユスリカ、蚋、ハエ等）、ゴキブリ、ダニ等の害虫を忌避できるものであればよいが、例えば、ピレスロイド系化合物、ナフタレン系化合物、パラジクロロベンゼン系化合物、樟脳、Ｎ，Ｎ−ジエチル−ｍ−トルアミド、ジメチルフタレート、ジブチルフタレート、ｐ−メンタン−３，８−ジオール、２−エチル−１，３−ヘキサンジオール、ジ−ｎ−プロピルイソシンコメロネート、ｐ−ジクロロベンゼン、ジ−ｎ−ブチルサクシネート、カラン−３，４−ジオール、１−メチルプロピル−２−（２−ヒドロキシエチル）−１−ピペリジンカルボキシレート、イソチオシアン酸アリル、植物抽出物（カラシ、ワサビ等）、木酢液等が挙げられる。これらの害虫忌避剤成分は、１種単独で使用してもよく、また２種以上を任意に組み合わせて使用してもよい。
【００５０】
消臭剤としては、例えば、安定化二酸化塩素；アルデヒド化合物；グリコールエーテル化合物；フィトンチッド系香料；低級脂肪族アルデヒド系香料等が挙げられる。
【００５１】
殺虫剤成分としては、例えば、ヒノキチオール、ヒバ油、アリルイソチオシアネート、プロピレングリコールモノメチルエーテル、エタノール、プロパノール、１，８―シネオール等が挙げられる。
【００５２】
抗菌剤としては、例えば、アリルイソチオシアネート、プロピレングリコールモノメチルエーテル、プロピレングリコールモノプロピルエーテル等が挙げられる。
【００５３】
酸化防止剤としては、例えば、ジブチルヒドロキシトルエン（ＢＨＴ）、ブチルヒドロキシアニソール（ＢＨＡ）、アスコルビン酸塩、イソフラボン、α−トコフェロール等が挙げられる。
【００５４】
紫外線吸収剤としては、例えば、ベンゾトリアゾール系（２−（３，５−ジ−ｔｅｒｔ−ペンチル−２−ヒドロキシフェニル）−２Ｈ−ベンゾトリアゾール）、ベンゾフェノン系（２，２’，４，４’，−テトラヒドロキシベンゾフェノン）等が挙げられる。これらの紫外線吸収剤は、１種単独で使用してもよく、また２種以上を任意に組み合わせて使用してもよい。
【００５５】
［棒状に加工したポリマー繊維］
本発明の揮散器では、揮散部材として棒状に加工したポリマー繊維を使用する。本発明において、「揮散部材」とは、容器に収容された香料液を吸い上げて、空気中に香料液を揮散させる部材を指す。従来技術では、揮散部材として棒状に加工したポリマー繊維を使用した揮散器では、香料液において香料成分の総量当たりアルコール系香料が多く含まれる場合には、香料液の揮散速度が、籐からなる揮散部材を使用した場合に比して低下するという欠点があるが、本発明では、香料成分１００重量部当たりアルコール系香料が１５重量部以上という高い比率で含まれていても当該欠点を克服し、香料液の揮散速度の低下を抑制することが可能になっている。
【００５６】
棒状に加工したポリマー繊維の素材としては、揮散液を吸液して揮散できる素材からなるものであれば特に限定されないが、例えば、ナイロン、ポリエステル、アクリル、ビニロン、ポリオレフィン（ポリプロピレン、ポリエチレン等）、ポリウレタン等の合成繊維が挙げられる。これらの中でも、香料液の揮散速度の低下を効果的に抑制するという観点から、前記ポリマー繊維の素材として、耐熱性、耐薬性等の観点から、好ましくは合成繊維、更に好ましくはポリエステル、ポリウレタン、及びこれらの組み合わせが挙げられる。
【００５７】
棒状に加工したポリマー繊維の構成素材として使用されるポリエステルの種類については、特に限定されないが、例えば、ポリエチレンテレフタレート、ポリブチレンテレフタレート、ポリエチレンナフタレート等が挙げられる。これらのポリエステルは、１種単独で使用してもよく、また２種以上を組み合わせて使用してもよい。これらのポリエステルの中でも、耐熱性、耐薬性の観点から、好ましくはポリエチレンテレフタレートが挙げられる。
【００５８】
棒状に加工したポリマー繊維の構成素材として使用されるポリウレタンの種類については、主鎖中にウレタン結合を含む高分子であれば、特に限定されず、例えば、ポリオールとポリイソシアネートとの反応で得られるものが挙げられる。
【００５９】
ポリウレタンを構成するポリオール成分としては、例えば、エチレングリコール、ジエチレングリコール、トリエチレングリコール、１，３−ブタンジオール、１，４−ブタンジオール、１，２−プロパンジオール、１，３−プロパンジオール、１，６−ヘキサンジオール、ネオペンチルグリコール、１，４−シクロヘキサンジメタノール、メチル−１，５−ペンタンジオール、１，８−オクタンジオール、２−エチル−１，３−ヘキサンジオール、ジエチレングリコール、トリエチレングリコール、ジプロピレングリコールなどのグリコール類；トリメチロールプロパン、グリセリン、ペンタエリスリトールなどのポリオール類；エチレンオキサイドやプロピレンオキサイド単位を有するポリオール化合物；ポリエーテルジオール類、ポリエステルジオール類などの高分子量ジオール類；ビスフェノールＡやビスフェノールＦなどのビスフェノール類；ダイマー酸のカルボキシル基を水酸基に転化したダイマージオール等が挙げられる。これらは１種単独で使用してもよく、また２種以上を組み合わせて使用してもよい。
【００６０】
ポリウレタンを構成するポリイソシアネート成分としては、芳香族、脂肪族、及び脂環族の公知のジイソシアネート類が挙げられる。ジイソシアネート類の具体例としては、トリレンジイソシアネート、４，４’−ジフェニルメタンジイソシアネート、１，３−フェニレンジイソシアネート、ヘキサメチレンジイソシアネート、キシリレンジイソシアネート、イソホロンジイソシアネート、ジメチルジイソシアネート、リジンジイソシアネート、水添４，４’−ジフェニルメタンジイソシアネート、水添トリレンジイソシアネート、及びこれらのアダクト体、ビウレット体、イソシアヌレート体等が挙げられる。また、ジイソシアネート類には、トリフェニルメタントリイソシアネート、ポリメチレンポリフェニルイソシアネートなどの３官能以上のポリイソシアネート類を用いてもよい。これらは１種単独で使用してもよく、また２種以上を組み合わせて使用してもよい。
【００６１】
棒状に加工したポリマー繊維の構成素材として、ポリエステルとポリウレタンを含む場合、これらの比率については、特に制限されないが、例えば、ポリエステル１００重量部に対して、ポリウレタンが０．１〜２０重量部、好ましくは１〜１０重量部、より好ましくは３〜７重量部が挙げられる。
【００６２】
ポリマー繊維を棒状に加工する方法としては、特に限定されず、公知の方法を用いて棒状に加工するとよい。
【００６３】
棒状に加工したポリマー繊維の形状としては、棒状であれば特に限定されず、例えば、円柱状や、三角柱状、四角柱状、六角柱状等の多角柱状が挙げられる。これらの中でも、棒状に加工したポリマー繊維の形状としては、円柱状が好ましい。なお、円柱状には、例えば、底面形状が完全な円形であるものだけではなく、微小な凹凸等があっても全体として略円形であるものも含まれる。棒状に加工したポリマー繊維は、複数使用する場合、全てが同じ形状であってもよいし、一部の形状が異なるものであってもよいが、同じ形状であることが好ましい。
【００６４】
棒状に加工したポリマー繊維の形状が円柱状である場合、長さ方向に対して垂直に切断した断面の直径としては、特に限定されず、揮散器の外観や薬液の揮散速度等の観点から適宜設定すればよいが、例えば、５ｍｍ以下、好ましくは２〜４ｍｍ、更に好ましくは２．５〜３．５ｍｍが挙げられる。
【００６５】
棒状に加工したポリマー繊維において、長さ方向に対して垂直に切断した場合の断面積については、特に制限されず、揮散器の外観、使用する棒状に加工したポリマー繊維の数等に応じて適宜設定すればよいが、例えば、１．５〜２５ｍｍ2、好ましくは３〜１６ｍｍ2、更に好ましくは４．５〜１０ｍｍ2が挙げられる。
【００６６】
棒状に加工したポリマー繊維の長さについては、特に限定されず、使用する容器や収容する香料液の量等に応じて適宜設定すればよいが、例えば、１１０〜１９０ｍｍ、好ましくは１１０〜１７０ｍｍ、更に好ましくは１１０〜１３０ｍｍが挙げられる。
【００６７】
本発明の揮散器において、棒状に加工したポリマー繊維は、単数用いてもよいし、複数用いてもよく、揮散器の外観、揮散部材の形状や薬液の揮散速度等に応じて適宜設定すればよいが、香料液を揮散し易くするという観点からは、複数用いることが好ましい。本発明において、棒状に加工したポリマー繊維の数は、特に限定されないが、例えば、直径２〜４ｍｍ程度の棒状に加工したポリマー繊維を使用する場合、６〜１０本程度、好ましくは７〜９本程度使用するとよい。
【００６８】
棒状に加工したポリマー繊維の長さとしては、特に限定されず、使用する容器の形状や香料液の量等に応じて適宜設定すればよい。
【００６９】
［容器］
本発明の揮散器において使用する容器の形状については、前述の棒状に加工したポリマー繊維と揮散液を収容するための開口部を有し、前記ポリマー繊維を揮散液に浸漬させ、前記ポリマー繊維を介して揮散液を揮散させることのできる態様で使用できるものであれば、特に制限されず、インテリア性などを考慮して適宜設定することができる。
【００７０】
また、前記容器の素材についても特に制限されず、プラスチック製、ガラス製、陶器製等のいずれであってもよく、また、透明、不透明、半透明等のいずれであってもよく、揮散器に備えさせるべきインテリア性等を考慮して適宜設定すればよい。
【００７１】
［構成］
本発明の揮散器は、図１に示すように、棒状に加工したポリマー繊維を揮散部材１とし、当該揮散部材の一部（下端）が容器３内の香料液２に浸漬され、当該揮散部材の他の一部（上端）が容器外に露出するよう設置されることにより、香料液２が、揮散部材１を介して揮散するように配される。香料液２に浸漬された前記揮散部材１の下端から、揮散液２が毛細管現象により吸い上げられて揮散部材１の上端から揮散される。
【００７２】
２．香料液
本発明は、棒状に加工したポリマー繊維を揮散部材として使用して揮散される香料液であって、当該香料液に含まれる香料成分の総量１００重量部当たり、アルコール系香料が１５重量部以上であり、当該香料液におけるテルペン系のアルコール系香料の含有量が総量で７．５％未満であり、当該香料液における脂肪族系のアルコール系香料の含有量が総量で５％未満であり、且つ当該香料液における芳香族系のアルコール系香料の含有量が総量で２．５％未満であることを特徴とする。
【００７３】
当該香料液は、前記揮散器に使用される香料液であり、その組成、揮散させる際に使用される揮散部材や容器等については、前記「１．揮散器」の欄に記載の通りである。
【００７４】
また、当該香料液は、前記「１．揮散器」に記載の揮散部材（棒状に加工したポリマー繊維）及び容器と共に提供されてもよく、また、前記「１．揮散器」における香料液の詰め替え用として提供されてもよい。前記「１．揮散器」における香料液の詰め替え用として提供する場合、必要に応じて、揮散部材（棒状に加工したポリマー繊維）とセットにして提供してもよい。
【実施例】
【００７５】
次に、本発明について実施例を挙げて、更に詳細に説明するが、本発明は、これらの実施例によって限定されるものではない。
【００７６】
参考試験例１
開口部を有するガラス製透明容器（容積約９４ｍＬ、容器内底面積１３．０６ｍｍ、開口部の内径２０．３ｍｍ）に、表１に示す組成の揮散液Ａを７０ｍＬ入れ、更にガラス製透明容器の開口から揮散部材として棒状に加工されたポリマー繊維（円柱状、直径約３ｍｍ、長さ１２０〜１８０ｍｍ、組成：ポリエチレンテレフタレート／ポリウレタン＝９５／５（重量比））を８本、又は棒状に加工した籐を８本入れて、揮散部材の下部が揮散液に浸漬し、揮散部材の上部が容器外に露出するように設置した。この状態で１９℃の温度条件下で４０日間静置し、揮散液の重量変化を経時的に測定した。
【００７７】
【表１】
2018166948.tif 000002
【００７８】
得られた結果を図２に示す。図２には、静置開始時の揮散液の重量を１００％として換算した揮散液の残存率（％）を示している。この結果、香料を含まない揮散液では、揮散部材として棒状に加工されたポリマー繊維を使用しても、棒状に加工した籐を使用した場合と同じ揮散速度を示すことが確認された。
【００７９】
試験例１
開口部を有するガラス製透明容器（容積約９４ｍＬ、容器内底面積１３．０６ｍｍ、開口部の内径２０．３ｍｍ）に、表２に示す組成の香料液を７０ｍＬ入れ、更にガラス製透明容器の開口から揮散部材として棒状に加工されたポリマー繊維（円柱状、直径約３ｍｍ、長さ１２０〜１８０ｍｍ、組成：ポリエチレンテレフタレート／ポリウレタン＝９５／５（重量比））を８本、又は棒状に加工した籐を８本入れて、揮散部材の下部が香料液に浸漬し、揮散部材の上部が容器外に露出するように設置した。この状態で１９℃の温度条件下で９０日間静置し、香料液の重量変化を経時的に測定した。
【００８０】
【表２】
2018166948.tif 000003
【００８１】
【表３】
2018166948.tif 000004
【００８２】
【表４】
2018166948.tif 000005
【００８３】
【表５】
2018166948.tif 000006
【００８４】
【表６】
2018166948.tif 000007
【００８５】
【表７】
2018166948.tif 000008
【００８６】
【表８】
2018166948.tif 000009
【００８７】
【表９】
2018166948.tif 000010
【００８８】
得られた結果を図３〜９に示す。図３〜９には、静置開始時の香料液の重量を１００％として換算した香料液の残存率（％）を示している。この結果、アルデヒド系香料、エステル系香料、ケトン系香料及びエーテル系香料を含む香料液では、揮散部材の種類に違いにより揮散速度に差は生じなかった。これに対して、アルコール系香料を含む香料液では、揮散部材として棒状に加工されたポリマー繊維を使用した場合には、棒状に加工した籐を使用した場合に比べて香料液の揮散速度が大幅に低下していた。即ち、本試験結果から、棒状に加工されたポリマー繊維を揮散部材として使用する場合には、香料液中のアルコール系香料の含有量を減らすことにより、揮散速度の低下を抑制できることが明らかとなった。
【００８９】
試験例２
開口部を有するガラス製透明容器（容積約９４ｍＬ、容器内底面積１３．０６ｍｍ、開口部の内径２０．３ｍｍ）に、表１０に示す組成の揮散液及び香料液を７０ｍＬ入れ、更にガラス製透明容器の開口から揮散部材として棒状に加工されたポリマー繊維（円柱状、直径約３ｍｍ、長さ１２０〜１８０ｍｍ、組成：ポリエチレンテレフタレート／ポリウレタン＝９５／５（重量比））を８本入れて、揮散部材の下部が揮散液又は香料液に浸漬し、揮散部材の上部が容器外に露出するように設置した。この状態で１９℃の温度条件下で３３日間静置し、揮散液及び香料液の重量変化を経時的に測定した。
【００９０】
静置開始時の揮散液及び香料液の重量を１００％として、３３日間静置後の残存率（％）を求めた。更に、下記算出式に従って、香料液の揮散速度の変化量を算出した。
【００９１】
【数１】
2018166948.tif 000011
【００９２】
得られた結果を表１０に示す。この結果から、香料液に含まれる香料成分の総量１００重量部当たり、アルコール系香料が１５重量部以上である場合において、香料液におけるテルペン系のアルコール系香料の含有量が総量で７．５％未満、脂肪族系のアルコール系香料の含有量が総量で５％未満、且つ芳香族系のアルコール系香料の含有量が総量で２．５％未満である場合には、棒状に加工したポリマー繊維を揮散部材として使用する場合において、香料液の揮散速度の低下を抑制できることが明らかとなった。
【００９３】
【表１０】
2018166948.tif 000012
【００９４】
試験例３
開口部を有するガラス製透明容器（容積約９４ｍＬ、容器内底面積１３．０６ｍｍ、開口部の内径２０．３ｍｍ）に、表１１に示す組成の揮散液及び香料液を７０ｍＬ入れ、更にガラス製透明容器の開口から揮散部材として棒状に加工されたポリマー繊維（円柱状、直径約３ｍｍ、長さ１２０〜１８０ｍｍ、組成：ポリエチレンテレフタレート／ポリウレタン＝９５／５（重量比））を８本入れて、揮散部材の下部が揮散液又は香料液に浸漬し、揮散部材の上部が容器外に露出するように設置した。この状態で１９℃の温度条件下で３３日間静置した。３３日後の香料液の揮散速度の変化量を前記試験例３に記載の方法で算出し、下記判定基準に従って揮散性について評価した。
＜揮散性の判定基準＞
◎：−３％≦香料液の揮散速度の変化量（％）≦０％
○：−６％≦香料液の揮散速度の変化量（％）＜−３％
×：香料液の揮散速度の変化量（％）＜−６％
【００９５】
得られた結果を表１１に示す。香料成分の総量１００重量部当たりアルコール系香料が１５重量部未満であり、アルコール系香料の比率が比較的低い場合には、香料液の揮散速度の低下は認められなかった（香料液１０）。一方、香料成分の総量１００重量部当たりアルコール系香料が１５重量部以上にして、アルコール系香料の比率を高めると、香料液におけるアルコール系香料の含有量が７．５％未満、脂肪族系のアルコール系香料の含有量が５％未満、且つ芳香族系のアルコール系香料の含有量が２．５％未満を満たしていない場合には、香料液の揮散速度の低下が認められた（香料液１１及び１２）。これに対して、香料成分の総量１００重量部当たりアルコール系香料が１５重量部以上であっても、香料液におけるアルコール系香料の含有量が７．５％未満、脂肪族系のアルコール系香料の含有量が５％未満、且つ芳香族系のアルコール系香料の含有量が２．５％未満を満たしている場合には、香料液の揮散速度の低下を抑制できていた（香料液１３）。
【００９６】
【表１１】
2018166948.tif 000013
【符号の説明】
【００９７】
１  揮散部材
２  香料液
３  容器
【図１】
2018166948.tif 000014
【図２】
2018166948.tif 000015
【図３】
2018166948.tif 000016
【図４】
2018166948.tif 000017
【図５】
2018166948.tif 000018
【図６】
2018166948.tif 000019
【図７】
2018166948.tif 000020
【図８】
2018166948.tif 000021
【図９】
2018166948.tif 000022